(57)【要約】      （修正有）【課題】使用者が、充電が完了したこと等の充電進行状況を聴覚的に知ることができ、利便性に優れる携帯端末用充電器を提供する。【解決手段】端末バッテリー４が内蔵された携帯端末と接続可能に構成され、携帯端末と接続された接続状態で端末バッテリーに電力を供給することにより充電を行う携帯端末用充電器１は、スピーカー５と、音声データが記憶された記憶部８４と、端末バッテリーへの充電が完了する際に、音声データより得られた音声をスピーカーから出力させるプロセッサー８１を有する制御部８と、を備える。【選択図】図３
2018019484.tif 000002
【特許請求の範囲】
【請求項１】
端末バッテリーが内蔵された携帯端末と接続可能に構成され、前記携帯端末と接続された接続状態で前記端末バッテリーに電力を供給することにより充電を行う携帯端末用充電器であって、
スピーカーと、
音声データが記憶された記憶部と、
前記端末バッテリーへの充電が完了する際に、前記音声データより得られた音声を前記スピーカーから出力させる出力制御部と、を備えることを特徴とする携帯端末用充電器。
【請求項２】
前記出力制御部は、前記端末バッテリーへの充電が開始される際に、前記音声を前記スピーカーから出力させる請求項１に記載の携帯端末用充電器。
【請求項３】
電力が蓄電された充電器バッテリーを有し、
前記接続状態では、前記充電器バッテリーから前記端末バッテリーに前記電力が供給される請求項１または２に記載の携帯端末用充電器。
【請求項４】
前記出力制御部は、前記充電器バッテリーに蓄電された電力が所定の量以下となった際に、前記音声を前記スピーカーから出力させる請求項３に記載の携帯端末用充電器。
【請求項５】
前記出力制御部は、端末バッテリーへの充電中において、前記音声を前記スピーカーから出力させる請求項３または４に記載の携帯端末用充電器。
【請求項６】
前記充電器バッテリーは、外部電源から供給された電力を蓄電可能に構成され、
前記出力制御部は、前記充電器バッテリーへの充電が完了した際に、前記音声を前記スピーカーから出力させる請求項３ないし５のいずれか１項に記載の携帯端末用充電器。
【請求項７】
端末バッテリーが内蔵された携帯端末と接続可能に構成され、前記携帯端末と接続された接続状態で前記端末バッテリーに電力を供給することにより充電を行う携帯端末用充電器であって、
外部電源から供給された電力を蓄電する充電器バッテリーと、
スピーカーと、
音声データが記憶された記憶部と、
前記充電器バッテリーへの充電が完了した際に、前記音声データより得られた音声を前記スピーカーから出力させる出力制御部と、を備えることを特徴とする携帯端末用充電器。
【請求項８】
前記出力制御部は、前記充電器バッテリーへの充電が開始される際に、前記音声を前記スピーカーから出力させる請求項７に記載の携帯端末用充電器。
【請求項９】
前記出力制御部は、前記充電中において前記接続状態が解除された際に、前記音声を前記スピーカーから出力させる請求項１ないし８のいずれか１項に記載の携帯端末用充電器。
【請求項１０】
前記音声データは、互いに異なる複数の音声データを含み、
前記出力制御部は、前記複数の音声データから少なくとも１つの音声データを選択し、選択した前記音声データにより得られた音声を前記スピーカーから出力させる請求項１ないし９のいずれか１項に記載の携帯端末用充電器。
【請求項１１】
前記出力制御部は、当該携帯端末用充電器に接続された相手体、または、充電の進行状況に応じて前記音声データの選択を行う請求項１０に記載の携帯端末用充電器。
【請求項１２】
前記複数の音声データは、変換された音声において、言語を含み、
前記音声は、言い回しが互いに異なるものである請求項１１に記載の携帯端末用充電器。
【請求項１３】
前記出力制御部は、前記複数の音声データから無作為に前記音声データを選択する請求項１２に記載の携帯端末用充電器。
【請求項１４】
前記記憶部は、前記音声データを書き換え可能に構成されている請求項１ないし１３のいずれか１項に記載の携帯端末用充電器。
【発明の詳細な説明】
【技術分野】
【０００１】
本発明は、携帯端末用充電器に関する。
【背景技術】
【０００２】
近年、スマートフォンやタブレット端末等の携帯端末の普及が急速に加速している。これら携帯端末は、ユーザーが移動中等、場所を問わず使用されるため、電池の減りが比較的速い。そこで、場所を問わず携帯端末を充電可能な携帯端末用充電器が広く普及している（例えば、特許文献１参照）。
【０００３】
この特許文献１に記載された携帯端末用充電器は、キャラクターがプリントされたキャラクター部と、キャラクター部に設けられた充電用コネクタと、充電用コネクタに電力を供給する電源制御回路と、を有している。この携帯端末用充電器では、充電用コネクタに携帯端末を接続した接続状態で、携帯端末を充電することができる。
【０００４】
しかしながら、特許文献１に記載されている携帯端末用充電器では、接続状態において、携帯端末への充電が完了したかが分からない。さらに、携帯端末用充電器自体が外部電源から充電可能に構成されていた場合においても、携帯端末用充電器への充電が完了したかが分からない。
【先行技術文献】
【特許文献】
【０００５】
【特許文献１】特開２００９−１７７９９６号公報
【発明の概要】
【発明が解決しようとする課題】
【０００６】
本発明の目的は、使用者が、充電が完了したこと等の充電進行状況を聴覚的に知ることができ、利便性に優れる携帯端末用充電器を提供することにある。
【課題を解決するための手段】
【０００７】
このような目的は、下記（１）〜（１４）の本発明により達成される。
（１）  端末バッテリーが内蔵された携帯端末と接続可能に構成され、前記携帯端末と接続された接続状態で前記端末バッテリーに電力を供給することにより充電を行う携帯端末用充電器であって、
スピーカーと、
音声データが記憶された記憶部と、
前記端末バッテリーへの充電が完了する際に、前記音声データより得られた音声を前記スピーカーから出力させる出力制御部と、を備えることを特徴とする携帯端末用充電器。
【０００８】
（２）  前記出力制御部は、前記端末バッテリーへの充電が開始される際に、前記音声を前記スピーカーから出力させる上記（１）に記載の携帯端末用充電器。
【０００９】
（３）  電力が蓄電された充電器バッテリーを有し、
前記接続状態では、前記充電器バッテリーから前記端末バッテリーに前記電力が供給される上記（１）または（２）に記載の携帯端末用充電器。
【００１０】
（４）  前記出力制御部は、前記充電器バッテリーに蓄電された電力が所定の量以下となった際に、前記音声を前記スピーカーから出力させる上記（３）に記載の携帯端末用充電器。
【００１１】
（５）  前記出力制御部は、端末バッテリーへの充電中において、前記音声を前記スピーカーから出力させる上記（３）または（４）に記載の携帯端末用充電器。
【００１２】
（６）  前記充電器バッテリーは、外部電源から供給された電力を蓄電可能に構成され、
前記出力制御部は、前記充電器バッテリーへの充電が完了した際に、前記音声を前記スピーカーから出力させる上記（３）ないし（５）のいずれかに記載の携帯端末用充電器。
【００１３】
（７）  端末バッテリーが内蔵された携帯端末と接続可能に構成され、前記携帯端末と接続された接続状態で前記端末バッテリーに電力を供給することにより充電を行う携帯端末用充電器であって、
外部電源から供給された電力を蓄電する充電器バッテリーと、
スピーカーと、
音声データが記憶された記憶部と、
前記充電器バッテリーへの充電が完了した際に、前記音声データより得られた音声を前記スピーカーから出力させる出力制御部と、を備えることを特徴とする携帯端末用充電器。
【００１４】
（８）  前記出力制御部は、前記充電器バッテリーへの充電が開始される際に、前記音声を前記スピーカーから出力させる上記（７）に記載の携帯端末用充電器。
【００１５】
（９）  前記出力制御部は、前記充電中において前記接続状態が解除された際に、前記音声を前記スピーカーから出力させる上記（１）ないし（８）のいずれかに記載の携帯端末用充電器。
【００１６】
（１０）  前記音声データは、互いに異なる複数の音声データを含み、
前記出力制御部は、前記複数の音声データから少なくとも１つの音声データを選択し、選択した前記音声データにより得られた音声を前記スピーカーから出力させる上記（１）ないし（９）のいずれかに記載の携帯端末用充電器。
【００１７】
（１１）  前記出力制御部は、当該携帯端末用充電器に接続された相手体、または、充電の進行状況に応じて前記音声データの選択を行う上記（１０）に記載の携帯端末用充電器。
【００１８】
（１２）  前記複数の音声データは、変換された音声において、言語を含み、
前記音声は、言い回しが互いに異なるものである上記（１１）に記載の携帯端末用充電器。
【００１９】
（１３）  前記出力制御部は、前記複数の音声データから無作為に前記音声データを選択する上記（１２）に記載の携帯端末用充電器。
【００２０】
（１４）  前記記憶部は、前記音声データを書き換え可能に構成されている上記（１）ないし（１３）のいずれかに記載の携帯端末用充電器。
【発明の効果】
【００２１】
本発明によれば、使用者が、充電が完了したこと等の充電進行状況を聴覚的に知ることができ、利便性に優れる。
【図面の簡単な説明】
【００２２】
【図１】図１は、本発明の携帯端末用充電器を示す平面図であって、（ａ）が、携帯端末（スマートフォン）と接続した状態を示す図、（ｂ）が、外部電源（ノート型パソコン）と接続した状態を示す図である。
【図２】図２は、図１に示す携帯端末用充電器の平面図であって、（ａ）が拡大図、（ｂ）が（ａ）中矢印Ａ方向から見た図である。
【図３】図３は、図１に示す携帯端末用充電器のブロック図である。
【図４】図４は、図３に示す音声データベースを示す図である。
【図５】図５は、図１（ａ）に示す状態における携帯端末用充電器の制御動作を示すフローチャートである。
【図６】図６は、図１（ｂ）に示す状態における携帯端末用充電器の制御動作を示すフローチャートである。
【発明を実施するための形態】
【００２３】
以下、本発明の携帯端末用充電器を添付図面に示す好適な実施形態に基づいて詳細に説明する。
【００２４】
＜実施形態＞
図１は、本発明の携帯端末用充電器を示す平面図であって、（ａ）が、携帯端末（スマートフォン）と接続した状態を示す図、（ｂ）が、外部電源（ノート型パソコン）と接続した状態を示す図である。図２は、図１に示す携帯端末用充電器の平面図であって、（ａ）が拡大図、（ｂ）が（ａ）中矢印Ａ方向から見た図である。図３は、図１に示す携帯端末用充電器のブロック図である。図４は、図３に示す音声データベースを示す図である。図５は、図１（ａ）に示す状態における携帯端末用充電器の制御動作を示すフローチャートである。図６は、図１（ｂ）に示す状態における携帯端末用充電器の制御動作を示すフローチャートである。なお、以下では、説明の都合上、図２（ａ）中の上側を「上」、下側を「下」と言う。
【００２５】
図１（ａ）に示すように、携帯端末用充電器１は、ケーブル１００を介して携帯端末の一例であるスマートフォン２と接続可能に構成され、その接続状態において、スマートフォン２に内蔵された端末バッテリー２１に電力（例えば、１〜５（アンペア））を供給してスマートフォン２を充電するものである。
【００２６】
また、図１（ｂ）に示すように、携帯端末用充電器１は、ケーブル２００を介して外部電源の一例であるノート型パソコン９と接続可能に構成され、その接続状態において、ノート型パソコン９から電力（例えば、５〜１０（アンペア））が供給されることにより充電されるよう構成されている。
【００２７】
以下、携帯端末用充電器１について説明する。
携帯端末用充電器１は、筐体３と、充電器バッテリー４と、スピーカー５と、ボタン（スイッチ）６と、ランプ７と、制御部８と、を備えている。
【００２８】
筐体３は、偏平形状をなし、その平面視で長方形をなしている。筐体３の長辺の長さは、１００〜１５０ｍｍ程度であり、筐体３の短辺の長さは、５０〜８０ｍｍ程度である。また、筐体３の厚さは、１０〜１５ｍｍ程度である。筐体３をこのような大きさとすることにより、使用者の衣類のポケットや、カバンのポケット等に収納することができる。
【００２９】
また、筐体３の背面には、印刷表示部３４が設けられている。この印刷表示部３４には、例えば、アニメやゲーム内のキャラクターＫの絵がプリントされている。なお、印刷表示部３４では、キャラクターＫの絵がプリントされたシールが貼着されていてもよい。
【００３０】
また、筐体３の上側の側面には、ポート３１と、ポート３２と、ストラップホール３３とが設けられている。
【００３１】
ポート３１は、ケーブル１００が接続されるコネクタである。ポート３２は、ケーブル２００が接続されるコネクタである。ポート３１、３２としては、特に限定されず、例えば、ＵＳＢ（Universal Serial bus）コネクタ、マイクロＵＳＢコネクタ、ＩＥＥＥ １３９４コネクタ、シリアルポートおよびパラレルポート等が挙げられる。
【００３２】
充電器バッテリー４は、筐体３に内蔵されており、蓄電および放電可能な電池で構成されている。この充電器バッテリー４としては、特に限定されず、例えば、リチウムイオン電池等が挙げられる。
【００３３】
スピーカー５は、図２（ａ）中左側の側面に設けられている。スピーカー５は、振動体を有し、電気信号を振動に変換して音（音声）を発するものである。
【００３４】
ボタン６は、図２（ａ）中左側の側面で、かつ、スピーカー５の下側に設けられている。ボタン６には、種々の機能を持たせることができるが、本実施形態では、使用者がボタン６を押すことにより、スピーカー５から音声が発せられる。
【００３５】
ランプ７は、筐体３の正面に設けられている。本実施形態では、ランプ７は、スピーカー５から音声が発せられたときに点灯または点滅する。また、ランプ７は、充電器バッテリー４の電力残量に合わせて点滅および点灯することにより報知する構成であってもよく、電力残量を数値で報知する構成であってもよい。
【００３６】
なお、印刷表示部３４、スピーカー５、ボタン６およびランプ７の位置、形状、構成は、上記のものに限定されないのは言うまでもない。
【００３７】
図３に示すように、制御部８は、プロセッサー（出力制御部）８１と、Ｉ／Ｏインターフェース８２と、メモリー（記憶部）８３とを有している。
【００３８】
プロセッサー８１は、例えば、１つ以上のマイクロプロセッサー、マイクロコンピューター、マイクロコントローラー、デジタル信号プロセッサー、ＣＰＵ、状態機械、論理回路、ＡＳＩＣ、またはこれらの組み合わせ等のコンピューター可読命令に基づいて信号操作等の演算処理を実行する演算ユニットである。また、プロセッサー８１は、メモリー８３内に保存されているコンピューター可読命令をフェッチし、信号を操作するよう構成されている。
【００３９】
Ｉ／Ｏインターフェース８２は、ウェブインターフェース、グラフィカルユーザーインターフェース（ＧＵＩ）等の様々なソフトウェアインターフェース、またはハードウェアインターフェースである。Ｉ／Ｏインターフェース８２は、携帯端末用充電器１が、スマートフォン２やノート型パソコン９と相互通信することを可能とする。
【００４０】
メモリー８３は、揮発性記憶媒体（例えば、ＲＡＭ、ＳＲＡＭ、ＤＲＡＭ）、不揮発性記憶媒体（例えば、ＲＯＭ、ＥＰＲＯＭ、ＥＥＰＲＯＭ、フラッシュメモリー、ハードディスク、光ディスク、ＣＤ−ＲＯＭ、デジタル多用途ディスク（ＤＶＤ）、磁気カセット、磁気テープ、磁気ディスク）、またはこれらの組み合わせ等のコンピューター可読媒体である。また、メモリー８３は、着脱式でも非着脱式でも良い。
【００４１】
メモリー８３が揮発性記憶媒体を含む場合、例えば、スマートフォン２によって音声データをダウンロードし、その音声データをメモリー８３に記憶された音声データに上書き（書き換え）したり追加したりすることができる。
【００４２】
また、メモリー８３には、プロセッサー８１により実行可能なモジュールであるスピーカー駆動モジュール８３１と、ランプ駆動モジュール８３２と、端末電力残量検出モジュール８３３と、充電器電力残量検出モジュール８３４と、所要時間算出モジュール８３５と、充電モジュール８３６と、ボタン入力受付モジュール８３７と、音声データベース８４とが記憶されている。
【００４３】
各モジュールは、ルーティーン、アプリケーション、プログラム、アルゴリズム、ライブラリー、オブジェクト、コンポーネント、データ構造、またはこれらの組み合わせ等のプロセッサー８１により実行可能なコンピューター可読命令である。
【００４４】
スピーカー駆動モジュール８３１は、プロセッサー８１に実行されることにより、スピーカー５を駆動して、音声を出力する。
【００４５】
ランプ駆動モジュール８３２は、プロセッサー８１に実行されることにより、ランプ７を駆動して点灯させる。
【００４６】
端末電力残量検出モジュール８３３は、プロセッサー８１に実行されることにより、スマートフォン２の端末バッテリー２１の電力残量を検出する。
【００４７】
充電器電力残量検出モジュール８３４は、プロセッサー８１に実行されることにより、充電器バッテリー４の電力残量を検出する。
【００４８】
所要時間算出モジュール８３５は、プロセッサー８１に実行されることにより、充電が完了するまでの所要時間を算出する。
【００４９】
充電モジュール８３６は、プロセッサー８１に実行されることにより、携帯端末用充電器１に接続された相手体に応じて、端末バッテリー２１への充電または充電器バッテリー４への充電を行う。
【００５０】
ボタン入力受付モジュール８３７は、プロセッサー８１に実行されることにより、ボタン６が押されたことを検出する。
【００５１】
音声データベース８４は、音声データ群８４Ａ、音声データ群８４Ｂ、音声データ群８４Ｃ、音声データ群８４Ｄ、音声データ群８４Ｅ、音声データ群８４Ｆ、音声データ群８４Ｇ、音声データ８４Ｈを含んでいる。
【００５２】
音声データ群８４Ａは、音声データ８４１Ａと、音声データ８４２Ａと、音声データ８４３Ａとを含んでいる。
【００５３】
音声データ８４１Ａは、変換されてスピーカー５から出力された際、「携帯電話への充電を開始しました」という言語となるデータである。音声データ８４２Ａは、変換されてスピーカー５から出力された際、「携帯電話への充電を開始したよ」という言語となるデータである。音声データ８４３Ａは、変換されてスピーカー５から出力された際、「携帯電話への充電を開始したぜ」という言語となるデータである。
【００５４】
このように、音声データ８４１Ａ〜８４３Ａは、スマートフォン２への充電を開始した旨を報知する音声となる音声データであり、互いに言い回しが異なる。
【００５５】
音声データ群８４Ｂは、音声データ８４１Ｂと、音声データ８４２Ｂと、音声データ８４３Ｂとを含んでいる。
【００５６】
音声データ８４１Ｂは、変換されてスピーカー５から出力された際、「およそ１時間で充電が完了します」という言語となるデータである。音声データ８４２Ｂは、変換されてスピーカー５から出力された際、「およそ３０分で充電が完了します」という言語となるデータである。音声データ８４３Ｂは、変換されてスピーカー５から出力された際、「およそ１５分で充電が完了します」という言語となるデータである。
【００５７】
このように、音声データ８４１Ｂ〜８４３Ｂは、充電完了までの所要時間を報知する音声となる音声データであり、互いに時間が異なる。
【００５８】
音声データ群８４Ｃは、音声データ８４１Ｃと、音声データ８４２Ｃと、音声データ８４３Ｃとを含んでいる。
【００５９】
音声データ８４１Ｃは、変換されてスピーカー５から出力された際、「携帯電話への充電が完了しました」という言語となるデータである。音声データ８４２Ｃは、変換されてスピーカー５から出力された際、「携帯電話への充電が完了したよ」という言語となるデータである。音声データ８４３Ｃは、変換されてスピーカー５から出力された際、「携帯電話への充電が完了したぜ」という言語となるデータである。
【００６０】
このように、音声データ８４１Ｃ〜８４３Ｃは、スマートフォン２への充電が完了した旨を報知する音声となる音声データであり、互いに言い回しが異なる。
【００６１】
音声データ群８４Ｄは、音声データ８４１Ｄと、音声データ８４２Ｄと、音声データ８４３Ｄとを含んでいる。
【００６２】
音声データ８４１Ｄは、変換されてスピーカー５から出力された際、「携帯電話への充電が不十分になる可能性が有ります」という言語となるデータである。音声データ８４２Ｄは、変換されてスピーカー５から出力された際、「携帯電話への充電が不十分になる可能性が有るよ」という言語となるデータである。音声データ８４３Ｄは、変換されてスピーカー５から出力された際、「携帯電話への充電が不十分になる可能性が有るぜ」という言語となるデータである。
【００６３】
このように、音声データ８４１Ｄ〜８４３Ｄは、スマートフォン２への充電が不十分となる可能性がある旨を報知する音声となる音声データであり、互いに言い回しが異なる。
【００６４】
音声データ群８４Ｅは、音声データ８４１Ｅと、音声データ８４２Ｅと、音声データ８４３Ｅとを含んでいる。
【００６５】
音声データ８４１Ｅは、変換されてスピーカー５から出力された際、「バッテリーが切れました」という言語となるデータである。音声データ８４２Ｅは、変換されてスピーカー５から出力された際、「バッテリーが切れたよ」という言語となるデータである。音声データ８４３Ｅは、変換されてスピーカー５から出力された際、「バッテリーが切れたぜ」という言語となるデータである。
【００６６】
このように、音声データ８４１Ｅ〜８４３Ｅは、充電器バッテリー４の電力が無くなった（所定の値を下回った）旨を報知する音声となる音声データであり、互いに言い回しが異なる。
【００６７】
音声データ群８４Ｆは、音声データ８４１Ｆと、音声データ８４２Ｆと、音声データ８４３Ｆとを含んでいる。
【００６８】
音声データ８４１Ｆは、変換されてスピーカー５から出力された際、「充電器への充電を開始しました」という言語となるデータである。音声データ８４２Ｆは、変換されてスピーカー５から出力された際、「充電器への充電を開始したよ」という言語となるデータである。音声データ８４３Ｆは、変換されてスピーカー５から出力された際、「充電器への充電を開始したぜ」という言語となるデータである。
【００６９】
このように、音声データ８４１Ｆ〜８４３Ｆは、充電器バッテリー４への充電を開始した旨を報知する音声となる音声データであり、互いに言い回しが異なる。
【００７０】
音声データ群８４Ｇは、音声データ８４１Ｇと、音声データ８４２Ｇと、音声データ８４３Ｇとを含んでいる。
【００７１】
音声データ８４１Ｇは、変換されてスピーカー５から出力された際、「充電器への充電が完了しました」という言語となるデータである。音声データ８４２Ｇは、変換されてスピーカー５から出力された際、「充電器への充電が完了したよ」という言語となるデータである。音声データ８４３Ｇは、変換されてスピーカー５から出力された際、「充電器への充電が完了したぜ」という言語となるデータである。
【００７２】
このように、音声データ８４１Ｇ〜８４３Ｇは、充電器バッテリー４への充電が完了した旨を報知する音声となる音声データであり、互いに言い回しが異なる。
【００７３】
音声データ８４Ｈは、変換されてスピーカー５から出力された際、「接続が解除されました確認してください」という言語となるデータである。この音声データ８４Ｈは、携帯端末用充電器１とスマートフォン２との接続、または、携帯端末用充電器１とノート型パソコン９との接続が解除された旨を報知する音声となる音声データである。
【００７４】
このような音声データベース８４の各音声データは、筐体３の背中にプリントされているキャラクターＫの声優が発した声を録音したデータとすることができる。
【００７５】
また、メモリー８３が揮発性記憶媒体を含む場合、例えば、スマートフォン２によって音声データをダウンロードし、その音声データをメモリー８３に記憶された音声データに上書き（書き換え）することができる。これにより、使用者が、携帯端末用充電器１を比較的長い期間使っても、飽きにくくすることができる。
【００７６】
プロセッサー８１は、携帯端末用充電器に接続された相手体や、充電の進行状況や、接続状況に応じて音声データベース８４から、音声データの選択を行う。そして、選択された音声データを、スピーカー駆動モジュール８３１を用いてスピーカー５を駆動し、音声に変換して出力する。このような構成により、使用者は、充電の進行状況等を把握することができる。よって、携帯端末用充電器１は、利便性に優れる。以下、制御部８の制御動作について、図５および図６に示すフローチャートを用いて詳細に説明する。
【００７７】
（携帯端末用充電器１からスマートフォン２への充電）
まず、図１（ａ）に示すように、携帯端末用充電器１とスマートフォン２とを、ケーブル１００を介して接続して、携帯端末用充電器１からスマートフォン２に充電を行う場合について説明する。
【００７８】
ステップＳ１０１において、端末電力残量検出モジュール８３３を用いて、端末バッテリー２１のバッテリー残量を検出する。
【００７９】
次いで、ステップＳ１０２において、充電器電力残量検出モジュール８３４を用いて、充電器バッテリー４のバッテリー残量を検出する。
【００８０】
そして、ステップＳ１０３において、端末バッテリー２１のバッテリー残量と、充電器バッテリー４のバッテリー残量とに基づいて、端末バッテリー２１を満タン（ＦＵＬＬ）にすることが可能か否かを判断する。
【００８１】
ステップＳ１０３において、端末バッテリー２１を満タン（ＦＵＬＬ）にすることが可能であると判断した場合、充電モジュール８３６を用いて充電を開始し（ステップＳ１０４）、所要時間算出モジュール８３５を用いて、端末バッテリー２１が満タンになるまでの所要時間を算出する（ステップＳ１０５）。この算出は、予めメモリー８３に記憶された検量線やテーブル等に基づいて行われる。
【００８２】
そして、ステップＳ１０６において、充電が開始されたことと、充電完了までの所要時間とを報知する。
【００８３】
ステップＳ１０６では、音声データベース８４のうち、音声データ群８４Ａのうちの１つの音声データを選択するとともに、音声データ群８４Ｂのうちの１つの音声データを選択し、スピーカー駆動モジュール８３１によってスピーカー５を駆動し、音声に変換して出力する。
【００８４】
例えば、音声データ群８４Ａのうち音声データ８４１Ａを選択し、音声データ群８４Ｂのうち、音声データ８４１Ｂを選択した場合、「携帯電話への充電を開始しました」という言語と、「およそ１時間で充電が完了します」という言語とがスピーカー５から発せられる。これにより、使用者は、充電が開始されたことと、およその所要時間とを認識することができる。
【００８５】
なお、音声データ群８４Ａにおける１つの音声データの選択は、ランダムに、すなわち、無作為に行われる。これにより、使用者は、発せられる音声のパターンを予測することができず、楽しむことができる。
【００８６】
また、音声データ群８４Ｂにおける１つの音声データの選択は、ステップＳ１０５における所要時間の算出結果に基づいて行われる。例えば、算出した所要時間が７０分であった場合、音声データ８４１Ｂが選択され、算出した所要時間が３５分であった場合、音声データ８４２Ｂが選択される。
【００８７】
また、例えば、算出した所要時間が４５分であった場合には、音声データ８４１Ｂが選択される。これにより、使用者が早めに接続状態を解除してしまうのを防止することができる。
【００８８】
また、ステップＳ１０６では、スピーカー５から音声が発せられる際、ランプ駆動モジュール８３２を用いて、ランプ７を点灯させる。これにより、使用者は、目視により音声が発せられていることを認識することができる。よって、使用者が音声を聞き取りにくい環境であっても、使用者は、充電が開始されたことを認識することができる。
【００８９】
次いで、ステップＳ１０７において、充電が完了したか否かを判断する。この判断は、端末電力残量検出モジュール８３３が検出した端末バッテリー２１の残量が所定の値になったか否かに基づいて行われる。ステップＳ１０７において、充電が完了したと判断した場合、ステップＳ１０８において、充電が完了した旨を報知する。
【００９０】
ステップＳ１０８では、音声データ群８４Ｃのうちの１つの音声データを選択し、スピーカー駆動モジュール８３１によってスピーカー５を駆動し、音声に変換して出力する。例えば、音声データ群８４Ｃのうち、音声データ８４１Ｃを選択した場合、「携帯電話への充電が完了しました」という言語がスピーカー５から発せられる。これにより、使用者が携帯電話への充電が完了したことを認識することができる。特に、端末バッテリー２１の種類によっては、充電完了後も接続状態が維持されると端末バッテリー２１が発熱したりして端末バッテリー２１に負担がかかり不具合が生じることがある。携帯端末用充電器１によれば、使用者が、音声によって充電完了を確実に認識することができるため、充電完了後に、接続状態を速やかに解除することができ、前記不具合が生じるのを未然に防ぐことができる。
【００９１】
また、音声データ群８４Ｃにおける１つの音声データの選択は、ランダムに、すなわち、無作為に行われる。これにより、使用者は、発せられる音声のパターンを予測することができず、楽しむことができる。
【００９２】
なお、ステップＳ１０８では、ステップＳ１０６と同様に、ランプ７を点灯させる。これにより、使用者は、目視により音声が発せられていることを認識することができる。
【００９３】
一方、ステップＳ１０３において、端末バッテリー２１を満タン（ＦＵＬＬ）にすることが困難であると判断した場合、ステップＳ１０４と同様に、充電モジュール８３６を用いて充電を開始し（ステップＳ１０９）、所要時間算出モジュール８３５を用いて、充電器バッテリー４の残量がなくなるまでの所要時間を算出する（ステップＳ１１０）。
【００９４】
そして、ステップＳ１１１において、充電が開始されたことと、充電器バッテリー４の残量がなくなるまでの時間と、充電が不十分になる可能性が有ることを報知する。
【００９５】
ステップＳ１１１では、音声データベース８４のうち、音声データ群８４Ａのうちの１つの音声データを選択するとともに、音声データ群８４Ｂのうちの１つの音声データを選択するとともに、音声データ群８４Ｄのうちの１つの音声データを選択し、スピーカー駆動モジュール８３１によってスピーカー５を駆動し、選択した音声データを音声に変換して出力する。
【００９６】
例えば、音声データ群８４Ａのうち音声データ８４１Ａを選択した場合には、スピーカー５から「携帯電話への充電を開始しました」という言語が発せられる。また、音声データ群８４Ｂのうち、音声データ８４１Ｂを選択した場合、スピーカー５から「およそ１時間で充電が完了します」という言語が発せられる。そして、音声データ群８４Ｄのうち、音声データ８４１Ｄを選択した場合、スピーカー５から「携帯電話への充電が不十分になる可能性が有ります」という言語が発せられる。
【００９７】
これにより、使用者は、充電が開始されたことと、およその所要時間とを認識することができるとともに、スマートフォン２への充電が不十分となる可能性が有ることを認識することができる。
【００９８】
なお、ステップＳ１１１では、ステップＳ１０６およびステップＳ１０８と同様に、ランプ７を点灯させる。これにより、使用者は、目視により音声が発せられていることを認識することができる。
【００９９】
また、音声データ群８４Ｄにおける１つの音声データの選択は、ランダムに、すなわち、無作為に行われる。これにより、使用者は、発せられる音声のパターンを予測することができず、楽しむことができる。
【０１００】
そして、ステップＳ１１２において、充電器バッテリー４に蓄電された電力がなくなったか否かを判断する。ステップＳ１１２において、充電器バッテリー４に蓄電された電力がなくなった、すなわち、バッテリー切れであると判断した場合、その旨を報知する（ステップＳ１１３）。
【０１０１】
ステップＳ１１３では、音声データ群８４Ｅのうちの１つの音声データを選択し、スピーカー駆動モジュール８３１によってスピーカー５を駆動し、選択した音声データを音声に変換して出力する。
【０１０２】
例えば、音声データ群８４Ｅのうち音声データ８４１Ｅを選択した場合には、スピーカー５から「バッテリーが切れました」という言語が発せられる。これにより、使用者は、バッテリーが切れたことを認識することができる。
【０１０３】
また、音声データ群８４Ｅにおける１つの音声データの選択は、ランダムに、すなわち、無作為に行われる。これにより、使用者は、発せられる音声のパターンを予測することができず、楽しむことができる。
【０１０４】
なお、ステップＳ１１３では、ステップＳ１０６、ステップＳ１０８およびステップＳ１１１と同様に、ランプ７を点灯させる。これにより、使用者は、目視により音声が発せられていることを認識することができる。
【０１０５】
以上、携帯端末用充電器１がスマートフォン２に充電する制御動作について説明したが、携帯端末用充電器１では、ステップＳ１０１〜ステップＳ１０８、ステップＳ１０９〜ステップＳ１１３中のルーティーンにおいて、常に、接続状態が解除されたか否かを判断している。接続状態が解除されたと判断した場合には、スピーカー駆動モジュール８３１によってスピーカー５を駆動し、音声データ８４Ｈを音声に変換して出力する。これにより、スピーカー５から「接続が解除されました確認してください」という言語が発せられる。よって、使用者は、接続が不本意に解除されたことを把握することができ、ケーブル１００を差し直したりして、接続状態の改善を図ることができる。
【０１０６】
なお、充電が完了した状態では、接続状態が解除されたか否かの判断を省略するのが好ましい。
【０１０７】
また、携帯端末用充電器１では、ステップＳ１０１〜ステップＳ１０８、ステップＳ１０９〜ステップＳ１１３中のルーティーンにおいて、常に、ボタン入力受付モジュール８３７を用いて、ボタン６が押されたか否かを判断している。ボタン６が押されたと判断した場合、所要時間算出モジュール８３５を用いて、ボタン６が押されたときから充電が完了するまでの時間を算出し、算出した時間に基づいて、音声データ群８４Ｂの中から音声データを１つ選択する。そして、スピーカー駆動モジュール８３１によってスピーカー５を駆動し、選択した音声データを音声に変換して出力する。これにより、使用者は、どのタイミングでも、ボタン６を押すことにより、充電完了までの時間を認識することができる。
【０１０８】
また、充電が完了していた場合には、音声データ群８４Ｃの中から音声データを無作為の１つ選択して、スピーカー５から出力する。
【０１０９】
このように、携帯端末用充電器１は、スマートフォン２への充電が完了する際、その旨を使用者に報知することができる。また、携帯端末用充電器１は、スマートフォン２への充電が開始される際、その旨を使用者に報知することができる。また、携帯端末用充電器１は、スマートフォン２への充電が可能か否かを判断し、その判断結果を使用者に報知することができる。また、携帯端末用充電器１は、充電器バッテリー４の電力残量が所定の値以下になったことを使用者に報知することができる。そして、携帯端末用充電器１は、接続状態が不本意に解除されたことを使用者に報知することができる。以上より、携帯端末用充電器１は、利便性に優れる。
【０１１０】
また、携帯端末用充電器１では、ステップＳ１０６、ステップＳ１０８、ステップＳ１１１およびステップＳ１１３において、ランプ７を互いに異なる色に点灯させるよう構成されていてもよく、点滅パターンを異ならせてもよい。これにより、音声が聞き取りづらい環境であっても、使用者は、目視で充電の進行状況や、接続状況を把握することができる。
【０１１１】
また、スマートフォン２の画面が消えていた場合、充電状況を把握することができないが、携帯端末用充電器１では、そのような場合であっても、充電状況を把握することができる。
【０１１２】
なお、スマートフォン２への充電の開始（ステップＳ１０４）は、ステップＳ１０３以前であってもよく、ステップＳ１０５とステップＳ１０６との間や、ステップＳ１０６とステップＳ１０７との間であってもよい。
【０１１３】
また、スマートフォン２への充電の開始（ステップＳ１０９）は、ステップＳ１０３以前であってもよく、ステップＳ１１０とステップＳ１１１との間や、ステップＳ１１１とステップＳ１１２との間であってもよい。
【０１１４】
（携帯端末用充電器１への充電）
次に、携帯端末用充電器１をノート型パソコン９と接続し、ノート型パソコン９から携帯端末用充電器１に充電を行う場合について説明する。
【０１１５】
ステップＳ２０１において、充電器電力残量検出モジュール８３４を用いて、充電器バッテリー４のバッテリー残量を検出する。
【０１１６】
次いで、ステップＳ２０２において、充電モジュール８３６を用いて充電を開始する。そして、所要時間算出モジュール８３５を用いて、充電器バッテリー４が満タンになるまでの所要時間を算出する（ステップＳ２０３）。この算出は、予めメモリー８３に記憶された検量線やテーブル等に基づいて行われる。
【０１１７】
次いで、ステップＳ２０４において、充電が開始されたことと、充電完了までの所要時間とを報知する。
【０１１８】
ステップＳ２０４では、音声データベース８４のうち、音声データ群８４Ｆのうちの１つの音声データを選択するとともに、音声データ群８４Ｂのうちの１つの音声データを選択し、スピーカー駆動モジュール８３１によってスピーカー５を駆動し、音声に変換して出力する。
【０１１９】
例えば、音声データ群８４Ｆのうち音声データ８４１Ｆを選択し、音声データ群８４Ｂのうち、音声データ８４１Ｂを選択した場合、「充電器への充電を開始しました」という言語と、「およそ１時間で充電が完了します」という言語とがスピーカー５から発せられる。これにより、使用者は、携帯端末用充電器１に充電が開始されたことと、およその所要時間とを認識することができる。
【０１２０】
なお、音声データ群８４Ｆにおける１つの音声データの選択は、ランダムに、すなわち、無作為に行われる。これにより、使用者は、発せられる音声のパターンを予測することができず、楽しむことができる。
【０１２１】
また、音声データ群８４Ｂにおける１つの音声データの選択は、ステップＳ２０３における所要時間の算出結果に基づいて行われる。例えば、算出した所要時間が７０分であった場合、音声データ８４１Ｂが選択され、算出した所要時間が３５分であった場合、音声データ８４２Ｂが選択される。
【０１２２】
また、例えば、算出した所要時間が４５分であった場合には、音声データ８４１Ｂが選択される。これにより、使用者が早めに接続状態を解除してしまうのを防止することができる。
【０１２３】
また、ステップＳ２０４では、スピーカー５から音声が発せられる際、ランプ駆動モジュール８３２を用いて、ランプ７を点灯させる。これにより、使用者は、目視により音声が発せられていることを認識することができる。よって、使用者が音声を聞き取りにくい環境であっても、使用者は、充電が開始されたことを認識することができる。
【０１２４】
次いで、ステップＳ２０５において、充電が完了したか否かを判断する。この判断は、充電器電力残量検出モジュール８３４が検出した充電器バッテリー４の残量が所定の値以上になったか否かに基づいて行われる。ステップＳ２０５において、充電が完了したと判断した場合、ステップＳ２０６において、充電が完了した旨を報知する。
【０１２５】
ステップＳ２０６では、音声データ群８４Ｇのうちの１つの音声データを選択し、スピーカー駆動モジュール８３１によってスピーカー５を駆動し、音声に変換して出力する。例えば、音声データ群８４Ｇのうち、音声データ８４１Ｇを選択した場合、「充電器への充電が完了しました」という言語がスピーカー５から発せられる。これにより、使用者が携帯端末用充電器１への充電が完了したことを認識することができる。特に、充電器バッテリー４の種類によっては、充電完了後も接続状態が維持されると端末バッテリー２１が発熱したりして端末バッテリー２１に負担がかかり不具合が生じることがある。携帯端末用充電器１によれば、使用者が、音声によって充電完了を確実に認識することができるため、充電完了後に、接続状態を速やかに解除することができ、前記不具合が生じるのを未然に防ぐことができる。
【０１２６】
また、音声データ群８４Ｇにおける１つの音声データの選択は、ランダムに、すなわち、無作為に行われる。これにより、使用者は、発せられる音声のパターンを予測することができず、楽しむことができる。
【０１２７】
以上、ノート型パソコン９から携帯端末用充電器１に充電する場合の制御動作について説明したが、携帯端末用充電器１では、ステップＳ２０１〜ステップＳ２０６中のルーティーンにおいて、常に、接続状態が解除されたか否かを判断している。接続状態が解除されたと判断した場合には、スピーカー駆動モジュール８３１によってスピーカー５を駆動し、音声データ８４Ｈを音声に変換して出力する。これにより、スピーカー５から「接続が解除されました確認してください」という言語が発せられる。よって、使用者は、接続が不本意に解除されたことを把握することができ、ケーブル１００を差し直したりして、接続状態の改善を図ることができる。
【０１２８】
なお、充電が完了した状態では、接続状態が解除されたか否かの判断を省略するのが好ましい。
【０１２９】
また、携帯端末用充電器１では、ステップＳ２０１〜ステップＳ２０６中のルーティーンにおいて、常に、ボタン入力受付モジュール８３７を用いて、ボタン６が押されたか否かを判断している。ボタン６が押されたと判断した場合、所要時間算出モジュール８３５を用いて、ボタン６が押されたときから充電が完了するまでの時間を算出し、算出した時間に基づいて、音声データ群８４Ｂの中から音声データを１つ選択する。そして、スピーカー駆動モジュール８３１によってスピーカー５を駆動し、選択した音声データを音声に変換して出力する。これにより、使用者は、どのタイミングでも、ボタン６を押すことにより、充電完了までの時間を認識することができる。
【０１３０】
また、充電が完了していた場合には、音声データ群８４Ｇの中から音声データを無作為の１つ選択して、スピーカー５から出力する。
【０１３１】
このように、携帯端末用充電器１は、ノート型パソコン９からの充電が完了する際、その旨を使用者に報知することができる。また、携帯端末用充電器１は、ノート型パソコン９からの充電が開始される際、その旨を使用者に報知することができる。そして、携帯端末用充電器１は、接続状態が不本意に解除されたことを使用者に報知することができる。以上より、携帯端末用充電器１は、利便性に優れる。
【０１３２】
また、携帯端末用充電器１では、ステップＳ２０４およびステップＳ２０６において、ランプ７を互いに異なる色に点灯させるよう構成されていてもよく、点滅パターンを異ならせてもよい。これにより、音声が聞き取りづらい環境であっても、使用者は、目視で充電の進行状況や、接続状況を把握することができる。
【０１３３】
なお、ノート型パソコン９からの充電の開始（ステップＳ２０２）は、ステップＳ２０１以前であってもよく、ステップＳ２０３とステップＳ２０４との間や、ステップＳ２０４とステップＳ２０５との間であってもよい。
【０１３４】
以上、本発明の携帯端末用充電器を図示の実施形態について説明したが、本発明は、これに限定されるものではなく、携帯端末用充電器を構成する各部は、同様の機能を発揮し得る任意の構成のものと置換することができる。また、任意の構成物が付加されていてもよい。
【０１３５】
なお、前記実施形態では、携帯端末用充電器から携帯端末に充電する場合や、外部から携帯端末用充電器に充電する場合において、充電を開始した後に、その旨を報知する構成について説明したが、充電を開始したのと同時に報知してもよく、充電を開始するのに先立って報知してもよい。
【０１３６】
また、前記実施形態では、携帯端末用充電器から携帯端末に充電する場合や、外部から携帯端末用充電器に充電する場合において、充電が完了した後に、その旨を報知する構成について説明したが、充電が完了したのと同時に報知してもよく、充電が完了するのに先立って報知してもよい。
【０１３７】
また、前記実施形態では、携帯端末用充電器から携帯端末に充電する場合や、外部から携帯端末用充電器に充電する場合において、充電途中に、残り時間を報知する構成であってもよい。例えば、充電の５０％が完了した際や、充電が８０％完了した際に、残り時間を報知する構成であってもよい。
【０１３８】
また、前記実施形態では、充電完了までの目安として、残り時間を報知する場合について説明したが、本発明ではこれに限定されず、例えば、「あと５０％」や「あと２０％」のように、百分率を用いて報知してもよい。
【０１３９】
また、携帯端末用充電器では、接続された携帯端末の端末バッテリーの種類に応じて供給する電力が変更されるよう構成されていてもよい。すなわち、携帯端末用充電器では、記憶部に携帯端末機種特定モジュールが記憶されており、携帯端末特定モジュールによって特定された携帯端末の機種の情報に基づいて、最適な電力を供給するよう調節可能であってもよい。
【０１４０】
また、携帯端末用充電器を用いるに際し、携帯端末用充電器アプリケーションを携帯端末にインストールしてから用いるよう構成されていてもよい。
【０１４１】
また、携帯端末用充電器では、急速に充電を行う急速充電モードと、急速モードよりも電力の供給量が少ない通常モードとを切り替え可能な充電速度切替スイッチが設けられていてもよい。この場合、残り時間を算出するステップにおいて、各モードを加味して残り時間を算出する。
【０１４２】
また、携帯端末用充電器から音声が発せられている際、その音声を停止する停止スイッチが設けられていてもよい。
【０１４３】
また、携帯端末用充電器では、バッテリー残量を検出することにより充電完了を検出する構成であったが、例えば、残り時間を算出し、タイマーを用いてタイムアップを充電完了とみなす構成であってもよい。
【０１４４】
また、携帯端末用充電器では、前記実施形態で説明したような音声が出力されるモードと、音声が出力されるのが省略されるマナーモードとを切り替えるモード切替スイッチが設けられていてもよい。この場合、携帯端末用充電器は、振動を発するバイブレーション部を有し、マナーモードでは、前記で説明したような音声が発せられるタイミングで振動が生じるのが好ましい。
【０１４５】
また、前記実施形態で説明したボタン６と、充電速度切替スイッチと、停止スイッチとは、１つのボタンであってもよく、別途設けられていてもよい。１つのボタンを共有する場合には、例えば、２秒以上の長押しした場合、１秒以下の短押しした場合、２回連続で押した場合等、異なるパターンを認識することによって、機能するスイッチを切り替えるよう構成してもよい。
【０１４６】
また、各スイッチの一例として、押しボタンを例に挙げて説明したが、タッチ式のボタンで構成されていてもよい。
【０１４７】
また、前記各実施形態では、音声データに記憶された各々の音声データ群に含まれる音声データは、言い回しが異なるものの、同じ旨を報知する音声データであったが、本発明では、これに限定されず、例えば、同じ言い回しで、かつ、変換された後の音声における声質が互いに異なる音声データであってもよい。すなわち、各音声データは、互いに異なるキャラクターの声優が発した音声を録音したものであってもよい。この場合、筐体の背面には、各声優が演じる各キャラクターがそれぞれプリントされているのが好ましい。
【０１４８】
また、携帯端末用充電器は、キャラクターが表示される表示部を有していてもよい。この場合、表示部に表示されたキャラクターを他のキャラクターに切り替える操作を行う操作部を有しているのが好ましい。また、携帯端末を介してキャラクターの画像および音声データをダウンロードする機能を有している場合、表示部に表示されるキャラクターや、音声を自由に編集することができる。
【０１４９】
また、前記実施形態では、携帯端末としてスマートフォンを例に挙げて説明したが、本発明ではこれに限定されず、例えば、スマートフォン以外の携帯電話や、ノート型コンピューターや、タブレット型コンピューターや、携帯型ゲーム機や、携帯型メディアプレーヤーや、ウェアラブルデバイス等にも適用することができる。
【０１５０】
また、前記各実施形態では、外部電源として、ノート型パソコンを例に挙げて説明したが、本発明ではこれに限定されず、例えば、デスクトップ型パソコンや、コンセント、ＵＳＢポート等を用いることができる。
【０１５１】
また、携帯端末用充電器では、例えば、イヤホンジャックやヘッドホンジャック等を有していてもよい。この場合、イヤホンやヘッドホンを携帯端末用充電器に接続したら、スピーカーから音声が出力されるのが省略されるのが好ましい。
【０１５２】
また、携帯端末用充電器は、携帯端末と外部電源との双方と同時に接続されるよう用いられてもよい。この場合、充電器バッテリーの電力残量が少なくても端末バッテリーを満タンにすることができる。
【０１５３】
また、携帯端末用充電器では、記憶部が時計モジュールを有し、時刻に応じて音声の音量を調節してもよい。例えば、夜に発する音声の音量を、朝および昼に発する音声よりも小さくしてもよい。
【０１５４】
また、前記実施形態では、スピーカーから音声を出力する場合について説明したが、さらに、メロディーや効果音等、音声以外の音を出力してもよい。
【０１５５】
また、前記各実施形態では、携帯端末用のポートと、外部電源用のポートとは、それぞれ１つずつであったが、それぞれ複数個設けられていてもよい。特に、携帯端末用のパートが複数ある場合、携帯端末を複数個同時に充電することができる。
【符号の説明】
【０１５６】
１            携帯端末用充電器
２            スマートフォン
２１          端末バッテリー
３            筐体
３１          ポート
３２          ポート
３３          ストラップホール
３４          印刷表示部
４            充電器バッテリー
５            スピーカー
６            ボタン
７            ランプ
８            制御部
８１          プロセッサー
８２          Ｉ／Ｏインターフェース
８３          メモリー
８３１        スピーカー駆動モジュール
８３２        ランプ駆動モジュール
８３３        端末電力残量検出モジュール
８３４        充電器電力残量検出モジュール
８３５        所要時間算出モジュール
８３６        充電モジュール
８３７        ボタン入力受付モジュール
８４          音声データベース
８４Ａ        音声データ群
８４１Ａ      音声データ
８４２Ａ      音声データ
８４３Ａ      音声データ
８４Ｂ        音声データ群
８４１Ｂ      音声データ
８４２Ｂ      音声データ
８４３Ｂ      音声データ
８４Ｃ        音声データ群
８４１Ｃ      音声データ
８４２Ｃ      音声データ
８４３Ｃ      音声データ
８４Ｄ        音声データ群
８４１Ｄ      音声データ
８４２Ｄ      音声データ
８４３Ｄ      音声データ
８４Ｅ        音声データ群
８４１Ｅ      音声データ
８４２Ｅ      音声データ
８４３Ｅ      音声データ
８４Ｆ        音声データ群
８４１Ｆ      音声データ
８４２Ｆ      音声データ
８４３Ｆ      音声データ
８４Ｇ        音声データ群
８４１Ｇ      音声データ
８４２Ｇ      音声データ
８４３Ｇ      音声データ
８４Ｈ        音声データ
９            ノート型パソコン
１００        ケーブル
２００        ケーブル
Ｋ            キャラクター
Ｓ１０１      ステップ
Ｓ１０２      ステップ
Ｓ１０３      ステップ
Ｓ１０４      ステップ
Ｓ１０５      ステップ
Ｓ１０６      ステップ
Ｓ１０７      ステップ
Ｓ１０８      ステップ
Ｓ１０９      ステップ
Ｓ１１０      ステップ
Ｓ１１１      ステップ
Ｓ１１２      ステップ
Ｓ１１３      ステップ
Ｓ２０１      ステップ
Ｓ２０２      ステップ
Ｓ２０３      ステップ
Ｓ２０４      ステップ
Ｓ２０５      ステップ
Ｓ２０６      ステップ
【図１】
2018019484.tif 000003
【図２】
2018019484.tif 000004
【図３】
2018019484.tif 000005
【図４】
2018019484.tif 000006
【図５】
2018019484.tif 000007
【図６】
2018019484.tif 000008
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
筐体を有し、端末バッテリーが内蔵された携帯端末と接続可能に構成され、前記携帯端末と接続された接続状態で前記端末バッテリーに電力を供給することにより充電を行う携帯端末用充電器であって、
前記筐体の外表面に設けられ、キャラクターが表示された表示部と、
前記筐体に内蔵されたスピーカーと、
前記キャラクターの音声データが記憶された記憶部と、
前記端末バッテリーへの充電が開始される際に、前記キャラクターの音声を前記スピーカーから出力させるとともに、前記端末バッテリーへの充電が完了する際に、前記音声データより得られた前記キャラクターの音声を前記スピーカーから出力させる出力制御部と、を備え、
前記音声データは、前記端末バッテリーへの充電が開始されることを報知する言語を含み、互いに言い回しが異なる複数の音声データで構成される第１の音声データ群と、前記端末バッテリーへの充電が完了することを報知する言語を含み、互いに言い回しが異なる複数の音声データで構成される第２の音声データ群と、を含み、
前記出力制御部は、前記端末バッテリーへの充電が開始される際に、前記第１の音声データ群のうちの１つの音声データを無作為に選択し、その選択した前記音声データより得られた前記キャラクターの音声を前記スピーカーから出力させるとともに、前記端末バッテリーへの充電が完了する際に、前記第２の音声データ群のうちの１つの音声データを無作為に選択し、その選択した前記音声データより得られた前記キャラクターの音声を前記スピーカーから出力させることを特徴とする携帯端末用充電器。
【請求項２】
電力が蓄電された充電器バッテリーを有し、
前記接続状態では、前記充電器バッテリーから前記端末バッテリーに前記電力が供給される請求項１に記載の携帯端末用充電器。
【請求項３】
前記音声データは、前記充電器バッテリーに蓄電された電力が所定の量以下となったことを報知する言語を含み、互いに言い回しが異なる複数の音声データで構成される第３の音声データ群を含み、
前記出力制御部は、前記充電器バッテリーに蓄電された電力が所定の量以下となった際に、前記第３の音声データ群のうちの１つの音声データを無作為に選択し、その選択した前記音声データより得られた前記キャラクターの音声を前記スピーカーから出力させる請求項２に記載の携帯端末用充電器。
【請求項４】
前記出力制御部は、前記端末バッテリーへの充電中において、前記キャラクターの音声を前記スピーカーから出力させる請求項２または３に記載の携帯端末用充電器。
【請求項５】
前記充電器バッテリーは、外部電源から供給された電力を蓄電可能に構成され、
前記音声データは、前記充電器バッテリーへの充電が完了したことを報知する言語を含み、互いに言い回しが異なる複数の音声データで構成される第４の音声データ群を含み、
前記出力制御部は、前記充電器バッテリーへの充電が完了した際に、前記第４の音声データ群のうちの１つの音声データを無作為に選択し、その選択した前記音声データより得られた前記キャラクターの音声を前記スピーカーから出力させる請求項２ないし４のいずれか１項に記載の携帯端末用充電器。
【請求項６】
前記音声データは、前記充電器バッテリーへの充電中において前記接続状態が解除されたことを報知する言語を含む第５の音声データを含み、
前記出力制御部は、前記充電器バッテリーへの充電中において前記接続状態が解除された際に、前記第５の音声データより得られた前記キャラクターの音声を前記スピーカーから出力させる請求項１ないし５のいずれか１項に記載の携帯端末用充電器。
【請求項７】
筐体を有し、端末バッテリーが内蔵された携帯端末と接続可能に構成され、前記携帯端末と接続された接続状態で前記端末バッテリーに電力を供給することにより充電を行う携帯端末用充電器であって、
前記筐体の外表面に設けられ、キャラクターが表示された表示部と、
外部電源から供給された電力を蓄電する充電器バッテリーと、
前記筐体に内蔵されたスピーカーと、
前記キャラクターの音声データが記憶された記憶部と、
前記充電器バッテリーへの充電が開始される際に、前記音声データより得られた前記キャラクターの音声を前記スピーカーから出力させるとともに、前記充電器バッテリーへの充電が完了する際に、前記音声データより得られた前記キャラクターの音声を前記スピーカーから出力させる出力制御部と、を備え、
前記音声データは、前記充電器バッテリーへの充電が開始されることを報知する言語を含み、互いに言い回しが異なる複数の音声データで構成される第１の音声データ群と、前記充電器バッテリーへの充電が完了することを報知する言語を含み、互いに言い回しが異なる複数の音声データで構成される第２の音声データ群と、を含み、
前記出力制御部は、前記充電器バッテリーへの充電が開始される際に、前記第１の音声データ群のうちの１つの音声データを無作為に選択し、その選択した前記音声データより得られた前記キャラクターの音声を前記スピーカーから出力させるとともに、前記充電器バッテリーへの充電が完了する際に、前記第２の音声データ群のうちの１つの音声データを無作為に選択し、その選択した前記音声データより得られた前記キャラクターの音声を前記スピーカーから出力させることを特徴とする携帯端末用充電器。
【請求項８】
前記音声データは、前記充電器バッテリーへの充電中において前記接続状態が解除されたことを報知する言語を含む第３の音声データを含み、
前記出力制御部は、前記充電器バッテリーへの前記充電中において前記接続状態が解除された際に、前記第３の音声データより得られた前記キャラクターの音声を前記スピーカーから出力させる請求項７に記載の携帯端末用充電器。
【請求項９】
前記出力制御部は、当該携帯端末用充電器に接続された相手体、または、充電の進行状況に応じて前記音声データの選択を行う請求項１ないし８のいずれか１項に記載の携帯端末用充電器。
【請求項１０】
前記記憶部は、前記音声データを書き換え可能に構成されている請求項１ないし９のいずれか１項に記載の携帯端末用充電器。
【手続補正２】
【補正対象書類名】明細書
【補正対象項目名】０００７
【補正方法】変更
【補正の内容】
【０００７】
このような目的は、下記（１）〜（１０）の本発明により達成される。
（１）  筐体を有し、端末バッテリーが内蔵された携帯端末と接続可能に構成され、前記携帯端末と接続された接続状態で前記端末バッテリーに電力を供給することにより充電を行う携帯端末用充電器であって、
前記筐体の外表面に設けられ、キャラクターが表示された表示部と、
前記筐体に内蔵されたスピーカーと、
前記キャラクターの音声データが記憶された記憶部と、
前記端末バッテリーへの充電が開始される際に、前記キャラクターの音声を前記スピーカーから出力させるとともに、前記端末バッテリーへの充電が完了する際に、前記音声データより得られた前記キャラクターの音声を前記スピーカーから出力させる出力制御部と、を備え、
前記音声データは、前記端末バッテリーへの充電が開始されることを報知する言語を含み、互いに言い回しが異なる複数の音声データで構成される第１の音声データ群と、前記端末バッテリーへの充電が完了することを報知する言語を含み、互いに言い回しが異なる複数の音声データで構成される第２の音声データ群と、を含み、
前記出力制御部は、前記端末バッテリーへの充電が開始される際に、前記第１の音声データ群のうちの１つの音声データを無作為に選択し、その選択した前記音声データより得られた前記キャラクターの音声を前記スピーカーから出力させるとともに、前記端末バッテリーへの充電が完了する際に、前記第２の音声データ群のうちの１つの音声データを無作為に選択し、その選択した前記音声データより得られた前記キャラクターの音声を前記スピーカーから出力させることを特徴とする携帯端末用充電器。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
（２）  電力が蓄電された充電器バッテリーを有し、
前記接続状態では、前記充電器バッテリーから前記端末バッテリーに前記電力が供給される上記（１）に記載の携帯端末用充電器。
【手続補正５】
【補正対象書類名】明細書
【補正対象項目名】００１０
【補正方法】変更
【補正の内容】
【００１０】
（３）  前記音声データは、前記充電器バッテリーに蓄電された電力が所定の量以下となったことを報知する言語を含み、互いに言い回しが異なる複数の音声データで構成される第３の音声データ群を含み、
前記出力制御部は、前記充電器バッテリーに蓄電された電力が所定の量以下となった際に、前記第３の音声データ群のうちの１つの音声データを無作為に選択し、その選択した前記音声データより得られた前記キャラクターの音声を前記スピーカーから出力させる上記（２）に記載の携帯端末用充電器。
【手続補正６】
【補正対象書類名】明細書
【補正対象項目名】００１１
【補正方法】変更
【補正の内容】
【００１１】
（４）  前記出力制御部は、前記端末バッテリーへの充電中において、前記キャラクターの音声を前記スピーカーから出力させる上記（２）または（３）に記載の携帯端末用充電器。
【手続補正７】
【補正対象書類名】明細書
【補正対象項目名】００１２
【補正方法】変更
【補正の内容】
【００１２】
（５）  前記充電器バッテリーは、外部電源から供給された電力を蓄電可能に構成され、
前記音声データは、前記充電器バッテリーへの充電が完了したことを報知する言語を含み、互いに言い回しが異なる複数の音声データで構成される第４の音声データ群を含み、
前記出力制御部は、前記充電器バッテリーへの充電が完了した際に、前記第４の音声データ群のうちの１つの音声データを無作為に選択し、その選択した前記音声データより得られた前記キャラクターの音声を前記スピーカーから出力させる上記（２）ないし（４）のいずれかに記載の携帯端末用充電器。
【手続補正８】
【補正対象書類名】明細書
【補正対象項目名】００１３
【補正方法】変更
【補正の内容】
【００１３】
（６）  前記音声データは、前記充電器バッテリーへの充電中において前記接続状態が解除されたことを報知する言語を含む第５の音声データを含み、
前記出力制御部は、前記充電器バッテリーへの充電中において前記接続状態が解除された際に、前記第５の音声データより得られた前記キャラクターの音声を前記スピーカーから出力させる上記（１）ないし（５）のいずれかに記載の携帯端末用充電器。
（７）  筐体を有し、端末バッテリーが内蔵された携帯端末と接続可能に構成され、前記携帯端末と接続された接続状態で前記端末バッテリーに電力を供給することにより充電を行う携帯端末用充電器であって、
前記筐体の外表面に設けられ、キャラクターが表示された表示部と、
外部電源から供給された電力を蓄電する充電器バッテリーと、
前記筐体に内蔵されたスピーカーと、
前記キャラクターの音声データが記憶された記憶部と、
前記充電器バッテリーへの充電が開始される際に、前記音声データより得られた前記キャラクターの音声を前記スピーカーから出力させるとともに、前記充電器バッテリーへの充電が完了する際に、前記音声データより得られた前記キャラクターの音声を前記スピーカーから出力させる出力制御部と、を備え、
前記音声データは、前記充電器バッテリーへの充電が開始されることを報知する言語を含み、互いに言い回しが異なる複数の音声データで構成される第１の音声データ群と、前記充電器バッテリーへの充電が完了することを報知する言語を含み、互いに言い回しが異なる複数の音声データで構成される第２の音声データ群と、を含み、
前記出力制御部は、前記充電器バッテリーへの充電が開始される際に、前記第１の音声データ群のうちの１つの音声データを無作為に選択し、その選択した前記音声データより得られた前記キャラクターの音声を前記スピーカーから出力させるとともに、前記充電器バッテリーへの充電が完了する際に、前記第２の音声データ群のうちの１つの音声データを無作為に選択し、その選択した前記音声データより得られた前記キャラクターの音声を前記スピーカーから出力させることを特徴とする携帯端末用充電器。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
（８）  前記音声データは、前記充電器バッテリーへの充電中において前記接続状態が解除されたことを報知する言語を含む第３の音声データを含み、
前記出力制御部は、前記充電器バッテリーへの前記充電中において前記接続状態が解除された際に、前記第３の音声データより得られた前記キャラクターの音声を前記スピーカーから出力させる上記（７）に記載の携帯端末用充電器。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
（９）  前記出力制御部は、当該携帯端末用充電器に接続された相手体、または、充電の進行状況に応じて前記音声データの選択を行う上記（１）ないし（８）のいずれかに記載の携帯端末用充電器。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
（１０）  前記記憶部は、前記音声データを書き換え可能に構成されている上記（１）ないし（９）のいずれかに記載の携帯端末用充電器。
【手続補正１６】
【補正対象書類名】明細書
【補正対象項目名】０１２７
【補正方法】変更
【補正の内容】
【０１２７】
以上、ノート型パソコン９から携帯端末用充電器１に充電する場合の制御動作について説明したが、携帯端末用充電器１では、ステップＳ２０１〜ステップＳ２０６中のルーティーンにおいて、常に、接続状態が解除されたか否かを判断している。接続状態が解除されたと判断した場合には、スピーカー駆動モジュール８３１によってスピーカー５を駆動し、音声データ８４Ｈを音声に変換して出力する。これにより、スピーカー５から「接続が解除されました確認してください」という言語が発せられる。よって、使用者は、接続が不本意に解除されたことを把握することができ、ケーブル２００を差し直したりして、接続状態の改善を図ることができる。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
筐体を有し、端末バッテリーが内蔵された携帯端末と接続可能に構成され、前記携帯端末と接続された接続状態で前記端末バッテリーに電力を供給することにより充電を行う携帯端末用充電器であって、
前記筐体の外表面に設けられ、キャラクターが表示された表示部と、
前記筐体に内蔵されたスピーカーと、
前記キャラクターの音声データが記憶された記憶部と、
前記端末バッテリーへの充電が開始される際に、前記キャラクターの音声を前記スピーカーから出力させるとともに、前記端末バッテリーへの充電が完了する際に、前記音声データより得られた前記キャラクターの音声を前記スピーカーから出力させる出力制御部と、を備え、
前記音声データは、前記端末バッテリーへの充電が開始されることを報知する言語を含み、互いに言い回しが異なる複数の音声データで構成される第１の音声データ群と、前記端末バッテリーへの充電が完了することを報知する言語を含み、互いに言い回しが異なる複数の音声データで構成される第２の音声データ群と、を含み、
前記出力制御部は、前記端末バッテリーへの充電が開始される際に、前記第１の音声データ群のうちの１つの音声データを無作為に選択し、その選択した前記音声データより得られた前記キャラクターの音声を前記スピーカーから出力させるとともに、前記端末バッテリーへの充電が完了する際に、前記第２の音声データ群のうちの１つの音声データを無作為に選択し、その選択した前記音声データより得られた前記キャラクターの音声を前記スピーカーから出力させることを特徴とする携帯端末用充電器。
【請求項２】
電力が蓄電された充電器バッテリーを有し、
前記接続状態では、前記充電器バッテリーから前記端末バッテリーに前記電力が供給される請求項１に記載の携帯端末用充電器。
【請求項３】
前記音声データは、前記充電器バッテリーに蓄電された電力が所定の量以下となったことを報知する言語を含み、互いに言い回しが異なる複数の音声データで構成される第３の音声データ群を含み、
前記出力制御部は、前記充電器バッテリーに蓄電された電力が所定の量以下となった際に、前記第３の音声データ群のうちの１つの音声データを無作為に選択し、その選択した前記音声データより得られた前記キャラクターの音声を前記スピーカーから出力させる請求項２に記載の携帯端末用充電器。
【請求項４】
前記出力制御部は、前記端末バッテリーへの充電中において、前記キャラクターの音声を前記スピーカーから出力させる請求項２または３に記載の携帯端末用充電器。
【請求項５】
前記充電器バッテリーは、外部電源から供給された電力を蓄電可能に構成され、
前記音声データは、前記充電器バッテリーへの充電が完了したことを報知する言語を含み、互いに言い回しが異なる複数の音声データで構成される第４の音声データ群を含み、
前記出力制御部は、前記充電器バッテリーへの充電が完了した際に、前記第４の音声データ群のうちの１つの音声データを無作為に選択し、その選択した前記音声データより得られた前記キャラクターの音声を前記スピーカーから出力させる請求項２ないし４のいずれか１項に記載の携帯端末用充電器。
【請求項６】
前記音声データは、前記端末バッテリーへの充電中において、前記接続状態が解除されたことを報知する言語を含む第５の音声データを含み、
前記出力制御部は、前記端末バッテリーへの充電中において、前記接続状態が解除された際に、前記第５の音声データより得られた前記キャラクターの音声を前記スピーカーから出力させる請求項１ないし５のいずれか１項に記載の携帯端末用充電器。
【請求項７】
筐体を有し、端末バッテリーが内蔵された携帯端末と接続可能に構成され、前記携帯端末と接続された接続状態で前記端末バッテリーに電力を供給することにより充電を行う携帯端末用充電器であって、
前記筐体の外表面に設けられ、キャラクターが表示された表示部と、
外部電源から供給された電力を蓄電する充電器バッテリーと、
前記筐体に内蔵されたスピーカーと、
前記キャラクターの音声データが記憶された記憶部と、
前記充電器バッテリーへの充電が開始される際に、前記音声データより得られた前記キャラクターの音声を前記スピーカーから出力させるとともに、前記充電器バッテリーへの充電が完了する際に、前記音声データより得られた前記キャラクターの音声を前記スピーカーから出力させる出力制御部と、を備え、
前記音声データは、前記充電器バッテリーへの充電が開始されることを報知する言語を含み、互いに言い回しが異なる複数の音声データで構成される第１の音声データ群と、前記充電器バッテリーへの充電が完了することを報知する言語を含み、互いに言い回しが異なる複数の音声データで構成される第２の音声データ群と、を含み、
前記出力制御部は、前記充電器バッテリーへの充電が開始される際に、前記第１の音声データ群のうちの１つの音声データを無作為に選択し、その選択した前記音声データより得られた前記キャラクターの音声を前記スピーカーから出力させるとともに、前記充電器バッテリーへの充電が完了する際に、前記第２の音声データ群のうちの１つの音声データを無作為に選択し、その選択した前記音声データより得られた前記キャラクターの音声を前記スピーカーから出力させることを特徴とする携帯端末用充電器。
【請求項８】
前記音声データは、前記充電器バッテリーへの充電中において、前記外部電源と当該携帯端末用充電器との接続状態が解除されたことを報知する言語を含む第３の音声データを含み、
前記出力制御部は、前記充電器バッテリーへの前記充電中において、前記外部電源と当該携帯端末用充電器との接続状態が解除された際に、前記第３の音声データより得られた前記キャラクターの音声を前記スピーカーから出力させる請求項７に記載の携帯端末用充電器。
【請求項９】
前記出力制御部は、当該携帯端末用充電器に接続された相手体、または、充電の進行状況に応じて前記音声データの選択を行う請求項１ないし８のいずれか１項に記載の携帯端末用充電器。
【請求項１０】
前記記憶部は、前記音声データを書き換え可能に構成されている請求項１ないし９のいずれか１項に記載の携帯端末用充電器。
【手続補正２】
【補正対象書類名】明細書
【補正対象項目名】００１３
【補正方法】変更
【補正の内容】
【００１３】
（６）  前記音声データは、前記端末バッテリーへの充電中において、前記接続状態が解除されたことを報知する言語を含む第５の音声データを含み、
前記出力制御部は、前記端末バッテリーへの充電中において、前記接続状態が解除された際に、前記第５の音声データより得られた前記キャラクターの音声を前記スピーカーから出力させる上記（１）ないし（５）のいずれかに記載の携帯端末用充電器。
（７）  筐体を有し、端末バッテリーが内蔵された携帯端末と接続可能に構成され、前記携帯端末と接続された接続状態で前記端末バッテリーに電力を供給することにより充電を行う携帯端末用充電器であって、
前記筐体の外表面に設けられ、キャラクターが表示された表示部と、
外部電源から供給された電力を蓄電する充電器バッテリーと、
前記筐体に内蔵されたスピーカーと、
前記キャラクターの音声データが記憶された記憶部と、
前記充電器バッテリーへの充電が開始される際に、前記音声データより得られた前記キャラクターの音声を前記スピーカーから出力させるとともに、前記充電器バッテリーへの充電が完了する際に、前記音声データより得られた前記キャラクターの音声を前記スピーカーから出力させる出力制御部と、を備え、
前記音声データは、前記充電器バッテリーへの充電が開始されることを報知する言語を含み、互いに言い回しが異なる複数の音声データで構成される第１の音声データ群と、前記充電器バッテリーへの充電が完了することを報知する言語を含み、互いに言い回しが異なる複数の音声データで構成される第２の音声データ群と、を含み、
前記出力制御部は、前記充電器バッテリーへの充電が開始される際に、前記第１の音声データ群のうちの１つの音声データを無作為に選択し、その選択した前記音声データより得られた前記キャラクターの音声を前記スピーカーから出力させるとともに、前記充電器バッテリーへの充電が完了する際に、前記第２の音声データ群のうちの１つの音声データを無作為に選択し、その選択した前記音声データより得られた前記キャラクターの音声を前記スピーカーから出力させることを特徴とする携帯端末用充電器。
【手続補正３】
【補正対象書類名】明細書
【補正対象項目名】００１５
【補正方法】変更
【補正の内容】
【００１５】
（８）  前記音声データは、前記充電器バッテリーへの充電中において、前記外部電源と当該携帯端末用充電器との接続状態が解除されたことを報知する言語を含む第３の音声データを含み、
前記出力制御部は、前記充電器バッテリーへの前記充電中において、前記外部電源と当該携帯端末用充電器との接続状態が解除された際に、前記第３の音声データより得られた前記キャラクターの音声を前記スピーカーから出力させる上記（７）に記載の携帯端末用充電器。